(57)【要約】【課題】遊技機で発生する乱数を不正に初期化する行為を発見する。【解決手段】メモリクリアスイッチが押されたとき、メイン基板はサブ基板へ乱数発生を初期化したことを報知するためのコマンドを送り、サブ基板はホールコンピュータへ乱数発生を初期化した旨の信号を送る。同時に、メイン基板は、集中端子板の出力信号のうち予め選択された２以上の信号を同時にオンしてホールコンピュータへ送る。ホールコンピュータは、サブ基板から乱数発生を初期化した旨の信号を受けたとき、同時に、集中端子板からの予め選択された２以上の信号がオンしていないときは、不正行為と判定する。乱数発生器を初期化した旨の信号を副制御部経由と集中端子板経由の２系統でホールコンピュータへ送っているので、不正行為を確実に検出できる。【選択図】        図９
2010022722.tif 000002
【特許請求の範囲】
【請求項１】
乱数を発生する乱数発生器、及び、前記乱数発生器で発生した乱数に基づき抽選を行い、当該抽選の結果に基づき入賞判定を行う入賞抽選手段を含み、遊技に係る制御を実行する制御部と、前記制御部で生成した情報に基づき所定の処理を実行する副制御部と、前記乱数発生器を初期化するためのスイッチと、前記制御部の出力に基づき複数のオンオフ信号であって前記遊技の状態を示す複数の信号を外部へ出力する集中端子板と、を備える遊技機と、
前記集中端子板から前記複数の信号を受けて前記遊技機を管理するホールコンピュータと、を備える遊技機の監視システムにおいて、
前記制御部は、前記スイッチが操作されたとき、前記乱数発生器を初期化するとともに、前記副制御部へ前記乱数発生器を初期化したことを報知するためのコマンドを送り、
前記副制御部は、前記制御部から前記コマンドを受けたとき、前記ホールコンピュータへ前記乱数発生器を初期化した旨の信号を送り、
前記制御部は、前記集中端子板の出力である前記複数の信号から２以上の信号を予め選択し、前記スイッチが操作されたとき、予め選択された前記２以上の信号を同時にオンにさせる信号を前記集中端子板へ送り、
前記集中端子板は、前記制御部からの前記信号に基づき、予め選択された前記２以上の信号を同時にオンして前記ホールコンピュータへ送り、
前記ホールコンピュータは、前記副制御部から前記乱数発生器を初期化した旨の信号を受けた場合において、予め選択された前記２以上の信号が同時にオンになったときは不正行為ではないと判断し、そうでないときは前記遊技機の前記乱数発生器の初期化が不正に行われたと判断する、ことを特徴とする遊技機の監視システム。
【請求項２】
前記ホールコンピュータは、予め定められた期間において、前記集中端子板からの前記複数の信号のいずれもがオンにならなかったとき、不正行為と判断することを特徴とする請求項１記載の遊技機の監視システム。
【請求項３】
乱数を発生する乱数発生器、及び、前記乱数発生器で発生した乱数に基づき抽選を行い、当該抽選の結果に基づき入賞判定を行う入賞抽選手段を含み、遊技に係る制御を実行する制御部と、前記制御部で生成した情報に基づき所定の処理を実行する副制御部と、前記乱数発生器を初期化するためのスイッチと、前記制御部の出力に基づき複数のオンオフ信号であって前記遊技の状態を示す複数の信号を外部へ出力する集中端子板と、を備える遊技機において、
前記制御部は、前記スイッチが操作されたとき、前記乱数発生器を初期化するとともに、前記副制御部へ前記乱数発生器を初期化したことを報知するためのコマンドを送り、
前記副制御部は、前記制御部から前記コマンドを受けたとき、前記乱数発生器を初期化した旨の信号を外部へ送り、
前記制御部は、前記集中端子板の出力である前記複数の信号から２以上の信号を予め選択し、前記スイッチが操作されたとき、予め選択された前記２以上の信号を同時にオンにさせる信号を前記集中端子板へ送り、
前記集中端子板は、前記制御部からの前記信号に基づき、予め選択された前記２以上の信号を同時にオンして外部へ送る、ことを特徴とする遊技機。
【発明の詳細な説明】
【技術分野】
【０００１】
本発明は、弾球遊技機（パチンコ機）などの遊技機及びその監視システムに関するものである。
【背景技術】
【０００２】
遊技機設置営業店（ホール）などに設置されている弾球遊技機（いわゆるパチンコ機）は、遊技球（遊技媒体とも呼ぶ）を用いて遊技を行うものである。借り受けた遊技球を弾球遊技機の遊技盤に設けられている盤面へ打ち出し、当該遊技球が予め定められた入賞口に入るごとに所定数の遊技球を払出すようになっている。払い出される遊技球は賞球と呼ばれる。
【０００３】
弾球遊技機の盤面に設けられている入賞口には次のようなものがある。
（１）普通入賞装置
（２）スタートチャッカー（始動入賞装置）
（３）アタッカー（大入賞装置）
（４）スルーチャッカー（入賞チャッカー）
【０００４】
スタートチャッカー（始動入賞装置）は特定入賞装置とも呼ばれる。遊球球がスタートチャッカー（始動入賞装置）に受け入れられて入賞状態になったとき、賞球を払い出すとともに電子的な抽選を行い、当選の場合に通常状態から遊技者にとって有利な遊技状態となるよう、アタッカー（大入賞装置）を開放状態にするものである。
アタッカー（大入賞装置）は特別入賞装置とも呼ばれる。
【０００５】
スルーチャッカー（入賞チャッカー）は直接賞球を払い出すものではないが、本明細書において入賞口に含める。遊技球がスルーチャッカー（入賞チャッカー）を通過したことが検知されたとき、電子的な抽選を行い、当選したときは遊技者にとって有利な遊技状態となるよう、スタートチャッカー（始動入賞装置）を所定時間開放し、遊技球がスタートチャッカー（始動入賞装置）に入りやすくする。スルーチャッカー（入賞チャッカー）に受け入れられた遊技球はそのまま盤面を移動し、他の入賞口又は排出口（アウト口）に受け入れられる。
【０００６】
近年、パチンコ機においては、遊技盤の中央に設けられる可変表示装置（センター役物）の表示画面によって遊技者に特別な利益を発生させるものが知られている。例えば、可変表示装置（センター役物）に表示される図柄が変動し停止した時の図柄の組合せによって「当り」と称される動作が開始し、遊技盤面の下方に設けられる大入賞装置が連続して開放され、その間に多数の入賞が得られることから遊技者に大量の賞球が払出されるものがある。このようなパチンコ機は、当り判定用の乱数発生手段を具備し、始動入賞装置に遊技球が入賞したときに、乱数発生手段の乱数を抽出するとともに可変表示装置（センター役物）の図柄変動を開始させ、当該抽出した乱数の値が予め定めた条件に合致するときに可変表示装置（センター役物）の表示変動を当り図柄で停止させ、当り動作を開始する。乱数発生手段として、カウンタやレジスタ等のハードウエアで構成されるもの又はソフトウエアで実行されるカウンタで実現されるものがある。
【０００７】
図１５を参照して、従来の遊技機における乱数発生、特に電源投入時の乱数発生処理について説明を加える。同図は、遊技機の制御部のメモリの内容をクリア（初期状態）するためのメモリクリアスイッチをオンにしつつ、遊技機の電源をオンにしたときの処理部（ＣＰＵ）の処理と、そのときの乱数発生の様子を示している。発生される乱数が、初期値（００００）から始まり、一定の周期ＴＲで繰り返される点に注意されたい。なお、メモリクリアスイッチをオフのままで電源をオンにすると、遊技機は、前回の電源オフ時点の状態から継続して動作するので、図１５のように発生される乱数が初期値（００００）から始まるとは限らない。本明細書では、特に断らない限り、メモリクリアスイッチをオンにしつつ遊技機の電源をオンにしたときの動作について説明を加える。なお、以下に説明する乱数の発生方法は、カウンタＩＣなどのハードウエアを用いたハード乱数の生成方式、プログラムによるソフト乱数の発生方式のいずれにも適用可能である。
【０００８】
ｔ１で電源がオンになると、ＣＰＵはそのときのメモリクリアスイッチの状態を読みに行く。図１５ではメモリクリアスイッチがオンであるので、ＣＰＵは起動処理を行った後に、メモリの全領域をクリア（初期状態）する。しかる後に（図１５では電源オンから時間ＴＳ経過後に）通常処理を行うための所定の起動処理を実行し、通常処理に移行させて遊技の受け付けが可能になる。通常処理において、乱数が発生される。具体的には、メモリの所定の領域（番地）のデータを乱数値（例えば、０〜６５５３５の範囲の数値）と定義しておき、当該データを所定の間隔で＋１するというカウント動作（例えば、０から６５５３５とするまでカウントアップする動作）を繰り返す。図１５では、メモリクリアされているので、乱数値の初期値は常に一定である（例えば００００）。カウント動作に基づいて乱数値が増加して最大値ＭＡＸに達すると最小値ＭＩＮ（例えば００００）に戻る。再び同じことが繰り返される。
【０００９】
以上の説明からわかるように、遊技機の乱数は、入賞などの特定の処理が行われない限り、一定周期ＴＲで規則的にカウント動作が繰り返される更新値である。そして、図１５のようにメモリクリアスイッチをオンにして電源をオンにした場合は、その初期値も毎回同じである。従って、電源オンから通常処理を開始するまでの時間ＴＳと乱数の更新に係る繰り返し周期ＴＲを知れば、任意の時点で更新される乱数値を予測することができ、所望の乱数値を取得して意図的に大当りを獲得することも可能である。
【００１０】
実際の乱数発生周期ＴＲは非常に短いので、人間技で所望の更新された乱数値を取得するように打球タイミングを調整することは難しい。しかし、打球タイミングを知らせるために一定のテンポを直接的に体に感知させる体感器という装置を使い、所望の更新された乱数値を取得するという不正行為が行われている。予め起動処理時間ＴＳと乱数発生周期ＴＲを記憶させた体感器を身体に装着して遊技を行い、電源オンの時点で体感器の動作を開始させることで、当りを発生させる確率が高くなる打球タイミングを知らせているようである。このような体感器の使用は許されるものではないが、その摘発は困難である。そのため、体感器の対策として、遊技機の発生する乱数を予測困難にすることが求められている。
【００１１】
【特許文献１】特開２００６−２２３５８５号公報  電源投入時において、ＲＡＭクリアスイッチの操作によってＲＡＭの内容が消去されると、主制御基板はサブ制御基板にＲＡＭクリアコマンドを送信し、スピーカから音声を発生させる。
【特許文献２】特開２００４−５７７１８号公報  サブ制御装置は、メイン制御装置から初期化報知手段の実行を指令されると、保持回路に初期化報知手段の実行していることを記憶する。
【特許文献３】特開２００２−２０４８７２号公報  スイッチＳＷを押すと、主基板に設けられた発光色の異なるＬＥＤ、及び、払出制御基板に設けられた発光色の異なる２個のＬＥＤのうち、バックアップデータの消去の完了を報知するほうのＬＥＤを点灯する。
【発明の開示】
【発明が解決しようとする課題】
【００１２】
上記従来技術は、初期化処理（メモリクリア）が行われたら、そのことを外部へ報知するものである。こうすることで、遊技中に不正に初期化処理が行われたことをホール店員が知ることができ、当該不正行為を摘発することができる。
【００１３】
しかしながら、上記報知機能を無効にしたうえで当該不正行為を行う例が見られる。これについて簡単に説明を加える。遊技機は、乱数値に基づき抽選を行い、当該抽選の結果に基づき入賞判定を行う入賞抽選手段を含み、遊技に係る制御を実行する制御部（メイン基板）と、前記制御部で生成した情報に基づき所定の処理を実行する副制御部（サブ基板）を備える。制御部で乱数の発生及びその初期化処理が行われ、副制御部で、制御部からのコマンドに基づき初期化処理の実行の報知が行われる。不正行為者は、制御部と副制御部を接続するワイヤハーネスに細工を加え、前記コマンドが副制御部に到達しないようにしているようである。例えば、電子部品を搭載した基板（ぶら下がり基板）を取り付け、前記コマンドの伝送のみを妨害している。副制御部による画面表示やランプの点灯などは正常に行わせているので、一見して不正行為とはわからない。このような不正行為が行われると、遊技機のせっかくの警報機能が殺されてしまい、上記不正行為の摘発は困難である。
【００１４】
本発明は、上記課題を解決するためになされたもので、不正行為者により監視機能が無効にされる可能性を低くでき、もって不正行為を防止できる遊技機の監視システム及び遊技機を提供することを目的とする。
【課題を解決するための手段】
【００１５】
この発明は、乱数を発生する乱数発生器、及び、前記乱数発生器で発生した乱数に基づき抽選を行い、当該抽選の結果に基づき入賞判定を行う入賞抽選手段を含み、遊技に係る制御を実行する制御部と、前記制御部で生成した情報に基づき所定の処理を実行する副制御部と、前記乱数発生器を初期化するためのスイッチと、前記制御部の出力に基づき複数のオンオフ信号であって前記遊技の状態を示す複数の信号を外部へ出力する集中端子板と、を備える遊技機と、
前記集中端子板から前記複数の信号を受けて前記遊技機を管理するホールコンピュータと、を備える遊技機の監視システムにおいて、
前記制御部は、前記スイッチが操作されたとき、前記乱数発生器を初期化するとともに、前記副制御部へ前記乱数発生器を初期化したことを報知するためのコマンドを送り、
前記副制御部は、前記制御部から前記コマンドを受けたとき、前記ホールコンピュータへ前記乱数発生器を初期化した旨の信号を送り、
前記制御部は、前記集中端子板の出力である前記複数の信号から２以上の信号を予め選択し、前記スイッチが操作されたとき、予め選択された前記２以上の信号を同時にオンにさせる信号を前記集中端子板へ送り、
前記集中端子板は、前記制御部からの前記信号に基づき、予め選択された前記２以上の信号を同時にオンして前記ホールコンピュータへ送り、
前記ホールコンピュータは、前記副制御部から前記乱数発生器を初期化した旨の信号を受けた場合において、予め選択された前記２以上の信号が同時にオンになったときは不正行為ではないと判断し、そうでないときは前記遊技機の前記乱数発生器の初期化が不正に行われたと判断する、ものである。
【００１６】
なお、「前記遊技の状態を示す複数の信号」とは、入賞発生に係る情報信号、入賞に基づいて通常状態から移行する有利遊技（大当り）に係る情報信号、入賞に基づいて行う演出開始に係る情報信号、遊技機本体に設けられメンテナンス等の際に開放する扉に係る情報信号を含む。
そして、「前記複数の信号から２以上の信号を予め選択」とは、前述の情報信号の全て、又は一部の組み合わせを含むものを予め選択することである。この選択にあたっては、例えば、有利遊技に係る情報信号と扉に係る情報信号の組み合わせのように、通常時において同時にオンとなる可能性が低い、若しくは全く無いという組み合わせにすることが好適である。
「前記複数の信号から２以上の信号を予め選択」して、それらの組み合わせにＲＷＭクリアの意味を持たせることにより、前記集中端子板の出力に、乱数発生器の初期化を示す信号（専用のＲＷＭクリア信号）を特別に設ける必要がなくなる。
また、既存の遊技の状態を示す信号（前記集中端子板の出力）を活用しているため、不正行為により異常な信号が出力されたとき、例えば、遊技に関係なく有利遊技（大当り）に係る情報信号が出力され、それをホールコンピュータが受信したときにも遊技状態の異常を検知することができるので、不正抑止力として大きな効果が得られる。
【００１７】
前記ホールコンピュータは、予め定められた期間において、前記集中端子板からの前記複数の信号のいずれもがオンにならなかったとき、不正行為と判断するようにしてもよい。
【００１８】
この発明は、乱数を発生する乱数発生器、及び、前記乱数発生器で発生した乱数に基づき抽選を行い、当該抽選の結果に基づき入賞判定を行う入賞抽選手段を含み、遊技に係る制御を実行する制御部と、前記制御部で生成した情報に基づき所定の処理を実行する副制御部と、前記乱数発生器を初期化するためのスイッチと、前記制御部の出力に基づき複数のオンオフ信号であって前記遊技の状態を示す複数の信号を外部へ出力する集中端子板と、を備える遊技機において、
前記制御部は、前記スイッチが操作されたとき、前記乱数発生器を初期化するとともに、前記副制御部へ前記乱数発生器を初期化したことを報知するためのコマンドを送り、
前記副制御部は、前記制御部から前記コマンドを受けたとき、前記乱数発生器を初期化した旨の信号を外部へ送り、
前記制御部は、前記集中端子板の出力である前記複数の信号から２以上の信号を予め選択し、前記スイッチが操作されたとき、予め選択された前記２以上の信号を同時にオンにさせる信号を前記集中端子板へ送り、
前記集中端子板は、前記制御部からの前記信号に基づき、予め選択された前記２以上の信号を同時にオンして外部へ送る、ものである。
【発明の効果】
【００１９】
本発明によれば、乱数発生器を初期化した旨の信号を副制御部経由と集中端子板経由の２系統でホールコンピュータへ送っているので、不正行為を確実に検出できる。よって、体感器などを用いた不正行為を防止することができる。
【発明を実施するための最良の形態】
【００２０】
弾球遊技機の構造概略について図１及び図２を参照して説明を加える。
まず、図１を参照して本発明の実施の形態に係る遊技機の外部的構造につき説明する。
外枠５０は、遊技機設置営業店に設けられた設置場所（島設備など）へと固定させるための縦長方形状からなる木製の枠部材である。
本体部材５１は、外枠５０の内部に備えられ、ヒンジ部５１ａを介して外枠に回動自在に装着された縦長方形状の遊技機基軸体となる部材である。この本体部材５１は、枠状に形成されその内側に空間部を有している。
開口枠扉５２は、遊技機の前面側となる前記本体部材５１の前面に、ロック機能付きで且つ開閉自在となるように装着され、枠状に構成されることでその内側を開口部とした扉部材である。
なお、開口枠扉５２の開口部にガラス製又は樹脂製からなる透明板部材が設けられ、開口部近傍に電飾５２ａ、スピーカ５２ｂ、などが取り付けられている。
後述する遊技盤（図１では示していない）は、本体部材５１の空間部に臨むように、本体部材５１に所定の固定部材を用いて着脱自在に装着されている。遊技盤の本体部材５１への装着後は、その遊技領域を前記開口部より観察することができる。
【００２１】
球受皿付き扉５３は、遊技機前面において本体部材５１の下部に、ロック機能付きで且つ開閉自在となるように装着され、遊技球を貯留する球受皿を少なくとも備えた扉部材である。なお、本実施形態における球受皿付き扉には、以下の部材が取り付けられている。
（1）複数の遊技球が貯留可能で且つ発射駆動装置４８へと遊技球を案内させる通路が設けられた球受皿。
（2）該貯留され発射駆動装置４８へと案内された遊技球を前記遊技盤１０の盤面１１に設けられた遊技領域へと打出す操作を行う回動式操作ハンドル４８ｂ。
（3）ブリペイドカード読込み処理関係及び借り受ける遊技球の貸出し処理関係の指示をするボタンを備えた球貸し関係の操作部。
（4）球受皿に貯留させた遊技球を遊技球収集容器（俗称、ドル箱）へと排出解除するための球受皿用の貯留球排出操作ボタン。
【００２２】
次に、図２を参照して本発明の実施の形態に係る遊技機の内部的構成を説明する。
４０は、前述したように、本体部材５１若しくは遊技盤１１又はこれらに備え付けられる支持部材などを介して設けられ、電気的な遊技制御の処理を行い主要な処理情報を生成する制御部である。
４０ｂは、前記本体部材５１若しくは遊技盤１１又はこれらに備え付けられる支持部材などを介して設けられ、前記制御部４０にて生成した処理情報を得ることにより所定の出力態様処理をさせる制御を行う副制御部である。
４２は、賞球の払い出し制御を行う払出制御部である。
４３は、遊技球を払い出す遊技球払出装置である。
４４は、図示しないランプや電飾５２ａを制御する電飾制御部である。
４６は、スピーカ５２ｂを制御駆動して音響を発生させる音響制御部である。
４９は発射駆動装置４８を制御する制御装置であって、回動式操作ハンドル４８ｂを介して遊技球を盤面に設けられた遊技領域へと打出し制御を行うための発射制御装置である。
【００２３】
図３は遊技機の遊技盤の正面図である。
図３において、１１は遊技盤１０の盤面である。盤面１１は、誘導レール１２と、誘導レール１２で区画された略円形の遊技領域を落下した遊技球を外部へ導く排出口（アウト口）１３と、遊技領域を移動する遊技球の方向を変化せしめる釘１４や風車１４ａなどの障害物を複数個備える矩形の盤面である。
【００２４】
前述した盤面１１の遊技領域は、誘導レール１２（遊技球を滑走させる滑走部と遊技球を規制する規制部を含む）により略円形状となるように区画形成され、打出された遊技球の移動範囲を規制する領域である。前記滑走部に規制部が続くように設けられている。前記滑走部は全体として螺旋をなして盤面１１に配設されている。
【００２５】
前記排出口（アウト口）１３は、遊技領域に投入された遊技球が集束する位置に設けられた回収開口部である。
【００２６】
障害物１４としての遊技釘は、遊技球と接触させることにより移動方向を不規則にし、又は移動方向を規制するために、盤面１１の適宜な位置に打込まれる複数の棒状部材である。
【００２７】
３０ａは、遊技領域の中央やや上側に設けられ、演出用表示ランプやＬＣＤ（液晶表示装置）などの可変表示部をひとつ又は複数有する可変表示装置（センター役物）である。
３０ｂは、スルーチャッカー（入賞チャッカー）である。
３０ｃは、普通入賞口を有する普通入賞装置である。
３０ｄは、始動入賞口を有するスタートチャッカー（始動入賞装置）である。
３０ｅは、大入賞口を有するアタッカーである。
以下の説明で、３０ｂ乃至３０ｄをまとめて入賞口３０などと記すことがある。
なお、図示されていないが、上記３０ｂ、３０ｃ、３０ｄの内部には球通過検出器２０ｂ、２０ｃ、２０ｄが設けられている（同図の括弧内の符号はそのことを意味する）。
【００２８】
スタートチャッカー３０ｄの始動入賞装置は特定入賞装置と、アタッカー３０ｅの大入賞装置は特別入賞装置とも呼ばれる。
スタートチャッカー（始動入賞装置）３０ｄは、入賞口の開口範囲の拡縮を行わせる可動片をその両側に備え、遊技球を入賞させることにより可変表示を行わせると共に賞球を遊技者に獲得させる入賞装置である。
アタッカー（大入賞装置）３０ｅは、入賞口を露出させる開口状態と入賞口を閉鎖する閉口状態となる可動扉が駆動制御されるものであり、遊技球を入賞させることにより他の入賞装置と比較してより多くの賞球を獲得させる入賞装置である。
【００２９】
図４は本発明の実施の形態に係る遊技機の機能ブロック図である。
４０は、電気的な遊技制御の処理を行い主要な処理情報を生成する制御部（「メイン基板」とも呼ばれる）である。制御部４０は遊技領域を移動（流下）して入賞口３０ｂ〜３０ｄを通過した遊技球をそれぞれ検出する球通過検出器２０ｂ〜２０ｄの信号を入力とし、入賞口３０ｂ〜３０ｄの遊技球通過に応じた抽選・判定を行う入賞判定部４０ａを含む。
【００３０】
入賞判定部４０ａは、抽選用の乱数を発生する乱数発生部４０ａ−１を含む。乱数発生部４０ａ−１は、各種抽選用に複数の乱数を発生している。それらの発生方法は、具体的には、メモリの所定の領域（番地）のデータを乱数値と定義しておき、当該データを所定の時間間隔で＋１するというカウント動作である。乱数値が増加して最大値ＭＡＸに達すると最小値ＭＩＮ（例えば００００）に戻る。そして、再び同じことが繰り返される。この処理を乱数の更新処理とも呼ぶ。なお、メモリクリアスイッチＭＣＬＲをオンにした状態で電源をオンにしたときはメモリクリアされるので、その際は、乱数発生部４０ａ−１の乱数値は初期値（例えば００００）に戻る。
【００３１】
４１は可変表示装置（センター役物）３０ａの演出用表示ランプを点灯させたり、ＬＣＤ（液晶表示装置）に演出に係る画像を表示させる表示制御部である。表示制御部４１は、制御部４０に設けられた入賞判定部４０ａにおける所定条件の成立（例えば、始動入賞装置３０ｄヘの遊技球の入賞等）に基づく電子的な当否抽選の結果に応じて、その識別表示情報（可変表示装置（センター役物）３０ａのＬＣＤに演出表示される）を可変表示させた後に停止表示を行う表示制御装置でもある。さらに、表示制御部４１は、入賞判定部４０ａにおける所定条件の成立（例えば、予め定められた通過口ヘの遊技球の通過）に基づく電子的な当否抽選の結果に応じて、識別点灯情報（可変表示装置（センター役物）３０ａの演出用表示ランプに点灯表示される）を可変表示させた後に停止表示を行う表示制御装置である。
【００３２】
可変表示装置（センター役物）３０ａのＬＣＤは、大当り状態に係わる特定図柄を変動表示すると共に背景画像や各種のキャラクタなどをアニメーション的に表示する装置である。スタートチャッカー（始動入賞装置）３０ｄを遊技球が通過したことが検出されると、表示される図柄が所定時間だけ変動し、遊技球のスタートチャッカー（始動入賞装置）３０ｄの通過時点において抽選された抽選用乱数値により決定される停止図柄をＬＣＤに表示して停止するようになっている。アタッカー３０ｅは、前方に開放可能な開閉板を備える。ＬＣＤの変動停止後の図柄が「７７７」などの当り図柄のとき、「大当り」と称する特別遊技が開始され、アタッカー３０ｅの開閉板が予め定めた回数だけ開放されるようになっている。アタッカー３０ｅの開閉板が開放された後、所定時間が経過し、又は所定数の遊技球が入賞すると開閉板が閉じる。
【００３３】
４２は、入賞判定部４０ａの信号を受けて入賞口３０ｂ〜３０ｄの遊技球通過に応じた及び／又はこれによる抽選・判定の結果に応じた遊技球払出装置４３を制御する払出制御部である。
４３は、遊技利益として入賞口３０ｂ〜３０ｄの遊技球通過に応じた及び／又はこれによる抽選・判定の結果に応じた所定数の遊技球を払出す駆動源を備えた遊技球払出装置である。
【００３４】
４０ｂは、制御部４０にて生成した処理情報を得ることにより、光の点滅・音響の発生などの演出を含む所定の出力態様処理をさせる制御を行う副制御部（「サブ基板」とも呼ばれる）である。
【００３５】
４４は、遊技盤１０あるいは遊技機筐体に設けられたランプ・電飾５２ａなどを点灯制御するためのランプ制御部である。
４６は、遊技盤１０あるいは遊技機筐体に設けられたスピーカ５２ｂを通じて効果音・音声を発生させる音響制御部である。
【００３６】
ＰＳは、制御部４０、副制御部４０ｂその他のユニットに＋５Ｖなどの直流電圧を供給する電源部である。電源部ＰＳは、電源をオンオフする電源スイッチＰＷとともに、メモリクリアスイッチＭＣＬＲを備えている。電源スイッチＰＷをオンする際に、メモリクリアスイッチＭＣＬＲを操作することで、メモリをクリアして遊技機を初期状態から起動することができる。
【００３７】
３０は、制御部４０からの信号を中継して図示しないホールコンピュータへ送る集中端子板である。
【００３８】
遊技球が遊技領域に設けられた入賞装置３０ｂ〜３０ｄには、それぞれ内部に球通過検出器（例えばスイッチ）２０ｂ〜２０ｄが設けられ、遊技球の通過を検出できるようになっている。いずれかの入賞装置３０ｂ〜３０ｄの位置を通過すると、これを球通過検出器２０ｂ〜２０ｄが検出し、これを受けて入賞判定部４０ａが所定の抽選・判定処理を行う。例えば、球通過検出器２０ｂがスルーチャッカー（入賞チャッカー）３０ｂを通過した遊技球を検知したとき、所定の抽選を行い、当選したときはスタートチャッカー（始動入賞装置）３０ｄを所定時間開放する。すなわち、スタートチャッカー（始動入賞装置）３０ｄの左右両側に互いに対向して設けられた一対の可動片を、それぞれ外側へ開放させる。併せて当選の旨を可変表示装置（センター役物）３０ａに表示する。そして、遊技球がスタートチャッカー（始動入賞装置）３０ｄを通過したことを検知したとき、所定の抽選を行い、当選したときはアタッカー３０ｅの大入賞装置を開放する。
【００３９】
図５は、制御部４０のハードウエア構成の説明図である。図４の制御部４０は、実際には図５のハードウエア構成で実現される（なお、副制御部４０ｂも同様である）。すなわち、複数のビット（配線）からなるＢＵＳに、ＣＰＵ（処理装置）、ＲＯＭ（不揮発性記憶部）、メモリＭ（読み出し及び書き込み可能なメモリ、ＲＷＭ）及びＩ／Ｏ（入出力装置）が接続されている。図４の制御部４０で実行される遊技に係る通常処理は、図５のＲＯＭに予め記憶されたプログラムに従ってＣＰＵが動作することで実行される。図４の入賞判定部４０ａの処理も同じである。ＣＰＵは、処理を行う際に各種データをメモリＭに記憶させ、必要に応じて読み出し、処理を行い、必要に応じて再度記憶する、といった処理を行う。メモリＭはバッテリバックアップを受けていることがあり、この場合は電源断の間でもその記憶内容は保持されている。本明細書において、特に断らない限り、メモリとは図５の書き換え可能なメモリＭ（ＲＷＭ）のことを意味する。
【００４０】
図６は集中端子板３０のブロック図を示す。図６は標準的な集中端子板３０を示すものである。集中端子板３０は、統一した規格に基づき製作されることで、ホールで遊技機が入れ替えられた場合にも島設備の電気配線などに変更を加えることなく使用することができるものである。日本電動遊技機工業協同組合が販売する外部集中端子板がよく知られている。
【００４１】
パチンコホール等の遊技場では、島設備と称される遊技機の集合用設備によって、複数の遊技機が整列して効率よく収容されている。遊技場に設置される遊技機には、パチンコ機（弾球遊技機）と、スロットマシン（回胴式遊技機）が知られている。遊技場のフロアは複数の島設備によって区画され、来場者及び従業員が歩行でき、遊技者が遊技を行うのに十分な空間が確保される。島設備には、遊技機に隣接して球貸機又はメダル貸機等の関連機器が設けられ、遊技者の便宜を図っている。島設備に整列された遊技機は、遊技の配当の払い出しと特定の遊技状態を監視するホールコンピュータにそれぞれ接続されている。ホールコンピュータは、遊技機から払い出された配当や特定の遊技状態となった回数を島設備ごとに集計する。これにより、島設備に設置された遊技機がどのような遊技状態に推移しているかを概ね把握でき、遊技機に異常が発生していないかどうかがわかる。
【００４２】
遊技機から払い出された配当や特定の遊技状態となった回数、遊技機の異常信号をホールコンピュータへ送信するために、各遊技機又は島設備は集中端子板３０を備えている。
【００４３】
集中端子板３０は、遊技機のＣＰＵ（メイン基板）からデジタル信号を受け、当該デジタル信号で駆動されるリレーを備える。当該リレーの接点信号がホールコンピュータへ送られる。集中端子板３０は、例えば、７つのリレーを備えるので、最大７種類の信号を中継して遊技機からホールコンピュータへ送ることができる。前記リレーはデジタル信号のＬ／Ｈに応じてオン／オフするという単純な動作を行うのみであり、パルス信号のような複雑な（つまり情報量の大きい）信号を扱うものではなかった。
【００４４】
集中端子板で中継する信号は次の６種類である。
（１）始動口情報
（２）図柄確定回数情報
（３）大当り１情報
（４）大当り２情報
（５）大当り３情報
（６）扉開放情報
【００４５】
図６を参照して説明を加える。
３１はメイン基板１０からの信号を受ける入力コネクタ、３２はメイン基板１０からの信号で駆動されるリレーコイル、３３はリレーコイル３２によりオンオフする接点、３４はホールコンピュータへオンオフ信号を送るための出力コネクタである。リレーコイル３２とその接点３３がリレーを構成する。図６の集中端子板３０は合計７個のリレーを含む。これらを、その符号に−１乃至−７を付すことで区別する。接点３３−１乃至３３−７の一方の端子は全部共通の端子（出力コネクタ３４の端子６）に接続され、他方の各端子は出力コネクタ３４の別々の端子に接続されている。端子６が共通端子（コモン）となり、各接点３３のオンオフは、ホールコンピュータから見れば、出力コネクタ３４の端子１乃至５、６及び８のいずれかと端子６との導通の有無を意味する。なお、入力コネクタには接地（グランド）端子も含まれるが、図６ではその表示を省略している。
【００４６】
例えば、メイン基板１０から入力コネクタ３１の端子１に始動口情報（Ｌレベルの信号）を受けると、当該信号（情報）によりリレーコイル３２−１が磁力を発生し、接点３３−１を引き寄せることで当該接点がオンになる。したがって、出力コネクタ３４の端子１と端子６が導通する。これをホールコンピュータで検出することで、始動口のセンサが遊技球を検出したことを伝達できる。
【００４７】
なお、図６では、リレーコイル３２が駆動されたときにオンになる接点３３の出力がホールコンピュータへ送られているが、本発明はこれに限定されず、オフになる接点３３の出力が送られるようにしてもよい。ホールコンピュータは、リレーの接点のオン又はオフ信号のどちらも受けることができる。
【００４８】
図７及び図８を参照して、集中端子板３０からホールコンピュータへ送られる信号について説明を加える。
（１）始動口情報（図７（ａ））
始動口を遊技球が通過したことを示す信号（情報）であり、球通過検出器による遊技球が通過したことを検出してから２５２ｍｓの間、始動口情報信号がオンになる。ただし、出力された本信号が連続しないように、信号と信号の間は２５２ｍｓの間隔が設けられる。
（２）図柄確定回数情報（図７（ｂ））
図柄確定回数情報として、特別図柄の変動停止から２５２ｍｓの間、図柄確定回数情報信号がオンになる。
（３）大当り１情報（図７（ｃ））
大当り１情報として、役物連続作動装置作動終了後に変動時間短縮機能が作動することとなる役物連続作動装置作動中又は特別図柄表示装置の変動時間短縮機能作動中に大当り１情報信号を出力する。役物連続作動装置が作動中又は変動時間短縮機能が作動中のときにオンになる。それらの両方が作動していないときオフになる。図中において、役物連続作動装置が停止から作動に変わるタイミングが、役物連続作動装置作動終了後に変動時間短縮機能が作動することとなる役物連続作動装置作動開始時点になる。
（４）大当り２情報（図８（ｄ））
大当り２情報として、役物連続作動装置作動中に大当り２情報を出力する。役物連続作動装置作動中においてオンになる。
（５）大当り３情報（図８（ｃ））
大当り３情報として、役物連続作動装置作動終了後に変動時間短縮機能が作動することとなる役物連続作動装置作動中に大当り２情報を出力する（オンになる）。図中において、役物連続作動装置が停止から作動に変わるタイミングが、役物連続作動装置作動終了後に変動時間短縮機能が作動することとなる役物連続作動装置作動開始時点になる。
（６）扉開放情報（図８（ｄ））
扉開放情報として、図示しない扉開放スイッチ信号がオフ（開口枠扉５２が開放されている状態）の間、扉開放情報信号を出力する（オンになる）。
【００４９】
発明の実施の形態に係る遊技機の監視システムは、図９に示すように、ＲＷＭクリアスイッチＭＣＬＲがオンになり乱数発生処理を初期化したとき、制御部４０は集中端子板３０の出力信号のうち通常は同時にオンにならない信号であって予め選択されたもの（同図の例では３つの信号）を同時にオンにし、それらをホールコンピュータＨＣに向け送信するというものである。ホールコンピュータＨＣは、通常は同時にオンにならない複数の信号が同時にオンになったことで遊技機がＲＷＭクリアを行ったことを検知する。
【００５０】
さらに、制御部４０は副制御部４０ｂへＲＷＭクリアを行った旨を報知することを命じるコマンドを送信し、副制御部４０ｂはその旨の報知を行うとともに、ＲＷＭクリアを行うというコマンドを受けたことを示すＲＷＭクリア信号をホールコンピュータＨＣに送信する。
【００５１】
ホールコンピュータＨＣは、集中端子板３０からの上記信号と、副制御部４０ｂからのＲＷＭクリア信号の両方を同時に受けないとき、不正なＲＷＭクリアが行われたという判断を行う。図１０（ａ）の符号Ｐは正常なＲＷＭクリアと判断する場合を示す。符号Ｑは、副制御部４０ｂからのＲＷＭクリア信号を何らかの理由（例えば、前述のぶら下がり基板が取り付けられた）で受信できなかったので、異常なＲＷＭクリアであり不正行為と判断する。図１０（ｂ）の符号Ｒは、集中端子板３０からＲＷＭクリア信号を何らかの理由（集中端子板３０が無効にされているなど）で受信できなかったので、異常なＲＷＭクリアであり不正行為と判断する。符号ＱはＲＭＷクリアが行われていない状態における通常の集中端子板３０からの信号を示す。通常の状態（ＲＷＭクリアが行われていない状態）においては、３つの信号の全部がオンになることはない。
【００５２】
同時にオンになるとは、例えば、ＲＷＭクリア信号と外部情報信号１〜３の論理積（ＡＮＤ）をとったとき、それがオン（Ｈレベル）になることがある、という意味である。図１０の４つの信号のオンのタイミングとオフのタイミングが一致することまでは必要ではない。各信号には伝送遅れがあり、それらの遅延時間は同じではなく、前記タイミングが多少不一致となるからである。特に、ＲＷＭクリア信号と外部情報信号１〜３では伝送経路が異なるのでタイミングのずれは大きくなる。したがって、副制御部４０ｂからのＲＷＭクリア信号についてはそれを直接使用するのではなく、ＲＷＭクリア信号のオンの時間を延長したものを用いて「同時にオン」になったかどうか判断するようにしてもよい。延長の程度は伝送経路に異存する遅延時間の差に基づき設定すると良い（例えば、遅延時間と同程度の延長時間とする）。
【００５３】
また、制御部４０が集中端子板３０へ予め選択された複数の信号をオンするように信号を送るタイミングを、副制御部４０ｂがホールコンピュータＨＣへＲＷＭクリア信号を送るタイミングよりも遅延させるとよい。具体的には、上記遅延時間の差を考慮したうえで、タイミングを調整する。
副制御部４０ｂからのＲＷＭクリア信号が先にホールコンピュータＨＣへ送られることで、集中端子板３０からの信号を遊技の状態を示す信号として誤って認識することを防止できる。
また、ホールコンピュータＨＣで副制御部４０ｂからのＲＷＭクリア信号を受けてから、集中端子板３０から前記予め選択された複数の信号を受けるまでの期間を監視し、所定期間を経過しても前記予め選択された複数の信号を受けないとき異常を報知するようにしてもよい。こうすることで不正行為を発見しやすくでき、その抑制を図ることができる。
【００５４】
なお、副制御部４０ｂと集中端子板３０を接続する配線を追加し、副制御部４０ｂから集中端子板３０へ信号を送り、通常は同時にオンにならない複数の信号を同時にオンするようにしてもよい。例えば、制御部４０は、従来どおり集中端子板３０のひとつの信号をオンにするが、副制御部４０ｂが他のひとつの信号をオンにするので複数の信号を同時にオンすることができる。このやり方によれば、制御部４０の構成又はプログラムを変更することなく、副制御部４０ｂの構成又はプログラムを変更し、図９の点線で示すようにワイヤハーネスを追加するだけで済む。図６の回路を例にとれば、入力コネクタ３１の端子１〜６をそれぞれ制御部４０用と副制御部４０ｂ用に分岐し、それぞれを制御部４０の図示しない駆動回路と副制御部４０ｂの図示しない駆動回路に接続すればよい。回路上の大きな変更は生じないので、製造コストを抑えることができる。
【００５５】
発明の実施の形態に係る遊技機の監視システムによれば、ＲＷＭクリア信号を２系統でホールコンピュータＨＣへ送っているので、不正行為を確実に検出できる。例えば、副制御部４０ｂからＲＷＭクリア信号を受信できなければ、制御部４０と副制御部４０ｂの間のハーネスに不正な工作が加えられたと判定でき、集中端子板３０からＲＷＭクリア信号を受信できなければ、集中端子板３０のハーネスが外されていると判定できる。なお、集中端子板３０のハーネスが外されているときは、ホールコンピュータで何らの情報も受けられなくなるので、この点からも不正行為を発見できる。
【００５６】
図１１は、遊技機の電源をオンしたときの制御部４０の処理フローチャートである。
電源がオンにされると制御部４０のＣＰＵが動作を開始し、最初にメモリクリアスイッチＭＣＬＲがオンかどうかを見に行く。メモリクリアスイッチＭＣＬＲがオンであれば（Ｓ１でＹＥＳ）、Ｓ２とＳ３の処理を実行する。メモリクリアスイッチＭＣＬＲがオンでなければ（Ｓ１でＮＯ）、通常起動処理を開始する。
【００５７】
メモリクリアスイッチＭＣＬＲがオンのとき、制御部４０のＣＰＵは、メモリＭの領域を初期化する（Ｓ２）。例えば全ての番地に００００を書き込む。図１５に示すように乱数値が００００になる。そして、副制御部４０ｂへＲＷＭクリアコマンドを送信する（Ｓ３）。
【００５８】
図１２は、制御部４０が集中端子板３０を経由して行うＲＷＭクリア信号の送信処理のフローチャートである。
【００５９】
集中端子板の複数の信号から２つ以上の信号を予め選択する（Ｓ１０）。（１）始動口情報（２）図柄確定回数情報（３）大当り１情報（４）大当り２情報（５）大当り３情報（６）扉開放情報のうち、（３）大当り１情報（４）大当り２情報（５）大当り３情報は同時にオンになる可能性があるのでこれらの組み合わせは避ける。（１）始動口情報（２）図柄確定回数情報についても同様の可能性がある。これに対し、（６）扉開放情報は単独でオンになる可能性が高い。そこで、例えば、（１）始動口情報（４）大当り２情報（６）扉開放情報の３つを選択することが考えられる。この選択の指定は予めメモリＭにフラグとして、またはＲＯＭにプログラムとして記憶されている。Ｓ１０は記憶されたフラグ又はプログラムにしたがって実行される。
【００６０】
制御部４０は、メモリ初期化処理（ＲＷＭクリア）が実行されたかどうか判断する（Ｓ１１）。実行されたとき（Ｓ１１でＹＥＳ）、集中端子板３０へ信号を送り、Ｓ１０で選択された複数の信号を同時にオンにする（Ｓ１２）。なお、Ｓ１１の処理は監視処理であり、電源オンとは無関係に定期的に実行されることが好ましい。
【００６１】
図１３は、ホールコンピュータが行う監視処理Ａのフローチャートである。監視処理Ａとは、図１４の監視処理と区別するための便宜的な名称である。
【００６２】
集中端子板３０の複数の信号から２つ以上の信号を予め選択する（Ｓ２０）。これは、図１２のＳ１０と同じである。Ｓ１０とＳ２０で選択された信号は一致する必要が有る。
【００６３】
ホールコンピュータＨＣは、集中端子板３０の選択された複数の信号と副制御部４０ｂからのＲＷＭクリア信号を監視する（Ｓ２１）。いずれかの信号が発生したとき、同じタイミングで副制御部からのＲＷＭクリア信号を受信し、かつ、選択された複数の信号が同時にオンしたとき（Ｓ２２でＹＥＳ）、不正行為ではないと判断する（Ｓ２３）。そうでないとき（Ｓ２２でＮＯ）、初期化が不正に行われた（不正なＲＷＭクリアが行われた）と判断し（Ｓ２４）、警報を報知する（Ｓ２５）。
【００６４】
図１０の例では、符号Ｑと符号Ｒの場合に不正行為と判断し、符号Ｐと符号Ｓの場合は正常と判断する。
【００６５】
図１４は、ホールコンピュータが行う監視処理Ｂのフローチャートである。この処理は、集中端子板３０の信号が所定時間全くオンにならなかったとき警報を報知するものである。遊技機で遊技が行われていれば、（１）始動口情報（２）図柄確定回数情報（３）大当り１情報（４）大当り２情報（５）大当り３情報（６）扉開放情報のいずれかはオンになるはずである。特に（１）始動口情報がオンに一度もならないことは考えにくい。したがって、一定時間において、例えば（１）始動口情報がオンにならなかったときは、集中端子板３０が故障しているか、不正な工作が加えられていると考えてよい。監視すべき期間（以下の説明ではタイムアウトになる時間）は、通常に遊技が行われていれば（１）始動口情報が一度はオンになる程度の期間であり、例えば１時間程度を見ておけば十分である。
【００６６】
ホールコンピュータＨＣは、図示しないタイマーを起動する（Ｓ３０）。タイマーには予め一定の時間がセットされている。
【００６７】
ホールコンピュータＨＣは、集中端子板３０の選択された複数の信号を監視する（Ｓ３１）。選択された複数の信号のいずれかがオンになったとき（Ｓ３２でＹＥＳ）、タイマーをリセットする（Ｓ３３）。これによりタイマーは初期値から計時を再開する。
【００６８】
タイマーで予めセットされていた時間が経過しても、選択された複数の信号のいずれもオンにならなかったとき、タイムアウトと判断する（Ｓ３４）。遊技されていればいずれかの信号がオンになるはずであって、集中端子板３０からの信号が全くオンにならないことは考えられない。このような場合、不正行為と判断してよい（Ｓ３５）。そして、警報を報知する（Ｓ２５）。
【００６９】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００７０】
【図１】遊技機の表面構造を示す斜視図である。
【図２】遊技機の裏面構造を示す斜視図である。
【図３】遊技者から見た盤面の様子を示す図（正面図）である。
【図４】発明の実施の形態に係る遊技機の機能ブロック図である。
【図５】制御部のハードウエア構成の説明図である。
【図６】集中端子板のブロック図である。
【図７】集中端子板を経由して送る信号の説明図（タイミングチャート）である。
【図８】集中端子板を経由して送る信号の説明図（タイミングチャート）である（続き）。
【図９】発明の実施の形態に係る、遊技機の副制御部と集中端子板を介してホールコンピュータへＲＷＭクリア信号を伝送する方式の説明図である。
【図１０】発明の実施の形態に係る、遊技機の副制御部と集中端子板を介してホールコンピュータへＲＷＭクリア信号を伝送する方式における不正行為判定の説明図である。
【図１１】発明の実施の形態に係る、制御部の電源投入時の処理フローチャートである。
【図１２】発明の実施の形態に係る、制御部の集中端子板を経由してＲＷＭクリア信号を送る送信処理のフローチャートである。
【図１３】発明の実施の形態に係る、ホールコンピュータの監視処理のフローチャートである。
【図１４】発明の実施の形態に係る、ホールコンピュータの他の監視処理のフローチャートである。
【図１５】従来の遊技機の動作タイミングチャートである。
【符号の説明】
【００７１】
３０        集中端子板
４０        制御部
４０ａ      入賞抽選手段
４０ａ−１  乱数発生器
４０ｂ      副制御部
ＨＣ        ホールコンピュータ
ＭＣＬＲ    メモリクリアスイッチ
【図１】
2010022722.tif 000003
【図２】
2010022722.tif 000004
【図３】
2010022722.tif 000005
【図４】
2010022722.tif 000006
【図５】
2010022722.tif 000007
【図６】
2010022722.tif 000008
【図７】
2010022722.tif 000009
【図８】
2010022722.tif 000010
【図９】
2010022722.tif 000011
【図１０】
2010022722.tif 000012
【図１１】
2010022722.tif 000013
【図１２】
2010022722.tif 000014
【図１３】
2010022722.tif 000015
【図１４】
2010022722.tif 000016
【図１５】
2010022722.tif 000017